(57)【要約】【課題】従来、可動部材５に設けたライトガイド１１から光が漏れるのを遮光するために、専用の遮光シート等の別部品が必要であった。部品点数を増加させず遮光可能な技術を提供する。【解決手段】可動グリップ５に取り付けるＬＥＤ１２を実装したＦＰＣ１３の実装面の裏面にベタパターン１４を形成し、ライトガイド１１の露光を遮蔽する。ベタパターン１４は、銅箔等で形成し静電対策用のグランドを兼ねることができ、可動グリップ５の外装を金属外装８とすれば、漏光遮断と共に、静電気蓄積を防止することもできる。【選択図】        図１
2004233667.tif 000002
【特許請求の範囲】
【請求項１】
可動部材にライトガイドを取り付けると共に、ＬＥＤ実装ＦＰＣを組み込み、ＦＰＣの実装面の裏面にライトガイドの露光を遮蔽するベタパターンを配設したことを特徴とするライトガイドの遮光構造。
【請求項２】
前記ベタパターンは、静電気を放電させるグランドを兼ねたことを特徴とする請求項１記載のライトガイドの遮光構造。
【請求項３】
前記可動部材の外装が金属であることを特徴とする請求項１又は２記載のライトガイドの遮光構造。
【発明の詳細な説明】
【０００１】
【発明の属する技術分野】
本発明は、ライトガイドの遮光構造に関し、さらに詳しくは、デジタルカメラ、コンパクトカメラ、一眼レフカメラ、ビテオカメラ等におけるライトガイドから光が漏れて種々の障害が生ずるのを防止する漏れ防止技術に関する。
【０００２】
【従来の技術】
可動する外装部材、例えばカメラの可動グリップに電飾用のライトガイドを備えたカメラがある。従来のカメラにおいては、このようなライトガイドから光が漏れるのを遮光するために、遮光シート等の専用の別部品を用いて遮光を行うのが普通であり、このような別部品が必要であった。
【０００３】
光学装置の可動部分からの漏光を簡単な構成で防止することができ、比較的安価で、しかも効率よく漏光を防止できる漏光防止装置がある。この装置は、例えば顕微鏡などの光学装置内に形成されている光路に対して、光学部材を挿脱する可動部材と光学装置との間から光が漏れ出すのを防止する漏光防止装置である。光学装置に挿入された可動部材の上面又は下面と対面する光学装置内の所定箇所に、弾性体などの遮光部材を配置し、遮光部材を可動部材の対向面に押圧するように構成したものである（例えば、特許文献１参照）。
【０００４】
この装置は、光学装置に挿入された可動部材の上面又は下面と対面する光学装置内の所定箇所に配置された遮光部材が、弾性体によって可動部材の対向面に押圧され、接触部の隙間が無くなると共に、遮光部材により接触部と反対面側の接触部が遮光される。このような専用の別部材を用いることは、部品の数を増加させるもので、組み込み工数も増加しコスト面でも好ましくない。
【０００５】
【特許文献１】
特開平８−３２７８８２号公報（第２〜３頁、図１参照）
【０００６】
【発明が解決しようとする課題】
本発明は、ライトガイドの遮光において、上記のような遮光専用の別部品を用いることなく、遮光を達成する技術を提供することを目的とする。すなわち、上記問題点を解決し、格別な遮光部品を必要とすることなく、既設の部品に改善を施すことによって、ライトガイドの遮光を行う技術を提供する。
【０００７】
【課題を解決するための手段】
本発明は、上記課題を解決するためになされたもので、その技術手段は、可動部材にライトガイドを取り付けると共に、ＬＥＤ（発光ダイオード）を実装したＦＰＣ（フレキシブル回路基板）を組み込み、ＦＰＣの実装面の裏面にライトガイドの露光を遮蔽するベタパターンを配設したことを特徴とするライトガイドの遮光構造である。ここで、ベタパターンとは、面全体を遮光性の膜、例えば銅箔等で一様に被覆した形態を言う。
【０００８】
前記ベタパターンは、導電性の膜とし、静電気を放電させるグランド（接地経路）を兼ねることとすれば、グランドラインを省略することができ、部品省略の観点から好適である。
【０００９】
また、前記可動部材の外装表面を金属などの導電性材料で形成すると、静電気の貯積を防止することができ、静電対策がさらに実効性があることとなり好ましい。
【００１０】
【発明の実施の形態】
以下図面を参照して本発明の実施の形態を説明する。
【００１１】
図３は本発明の適用されるカメラの全体斜視図を示すものである。この例では、カメラ本体１の正面側に、レンズ２、ファインダ３、ストロボ４、グリップ５等が配置されており、グリップ５は矢印６の方向に移動する可動部材となっている。このグリップ５にライトガイド１１が配設されている。
【００１２】
図２に、図１の可動グリップ５を拡大して示した。可動グリップ５は、ライトガイド１１を備えると共に、このライトガイド１１に光を供給するＬＥＤ１２を実装したＦＰＣ（フレキシブル回路基板）１３が可動グリップ５内に組み込まれている。
【００１３】
図１は図２のＡ−Ａ矢視図を示すもので、本発明の実施例を示すものである。可動部材である可動グリップ５は樹脂等からなる基台７を被覆する金属外装８を備えている。ライトガイド１１は基台７中に埋設されており、金属外装８に開けた開口９からライトガイド１１の頭部を外部に露出させている。このライトガイド１１に光を供給するＬＥＤ１２を実装したＦＰＣ１３も可動グリップ５中の基台７中に埋め込まれている。ＦＰＣ１３はカメラ本体１内のフレキシブル回路基板１５に連結されている。ＦＰＣ１３の下面に本発明の実施例のベタパターン１４が施されている。このベタパターン１４は、可動グリップ５の裏面側からのＬＥＤ１２の漏光を遮断する遮断幕である。
【００１４】
可動グリップ５が移動したとき、ＬＥＤ１２の光路が変化し、ライトガイド１１の光路から外部へ漏光する怖れがある。例えば、ライトガイド１１の光路の近傍に光センサ等があると、漏光した場合に光センサに悪影響を及ぼすので、漏光を防止する必要がある。また漏光は製品の品位を低下させ悪いイメージを与える。漏光を防止するために従来は漏光防止部材を装着する技術があったが、部品が増えると言う欠点があった。
【００１５】
本発明では、別部品を用いることなく、ＦＰＣの裏面にベタパターン１４を施すだけで効果的に漏光を遮断することが可能となった。
【００１６】
前記ベタパターン１４は、静電対策用のグランドを兼ねるものとした。また、可動グリップ５の外装を金属外装８で成形した。従って、静電気は可動グリップ５に蓄積されることなく、発生の都度グランドラインに流れて消滅する。このため本発明のライトガイドの遮光構造は、静電気による障害も効果的に防止することができる。
【００１７】
【発明の効果】
本発明によれば、ライトガイドの遮光を遮断する技術として部品点数の削減を図ることができるばかりでなく、ベタパターンをグランドとすることにより、可動グリップの静電対策も同時に兼ねることができるという優れた効果を奏する。
【図面の簡単な説明】
【図１】本発明の実施例を示す断面図（図２のＡ−Ａ断面）である。
【図２】図３の拡大図である。
【図３】本発明の適用されるカメラの斜視図である。
【符号の説明】
１    カメラ本体
２    レンズ
３    ファインダ
４    ストロボ
５    可動グリップ（可動部材）
６    矢印
７    基台
８    金属外装
９    開口
１１    ライトガイド
１２    ＬＥＤ
１３    ＦＰＣ
１４    ベタパターン
１５    フレキシブル回路基板
【図１】
2004233667.tif 000003
【図２】
2004233667.tif 000004
【図３】
2004233667.tif 000005